(57)【要約】      （修正有）【課題】電磁石発熱線とこれを利用した温熱マットを提供する。【解決手段】電気絶縁体である中心支持体、内層積層体、中間層積層体及び外層積層体を具備し、内層コイル、中間層コイル及び外層コイルを含む発熱線である。発熱線の駆動電流は直流である。内層コイルは外層コイルに電流が流れると、磁化し直流電磁石になると、コイルの周りに磁気場が誘導される。前記内層コイルは切替スイッチにより外層コイルに直列に接続されて発熱線として駆動することがある。内層コイルが発熱線として駆動するとき、内層コイルと外層コイルの両端に印加される電流の極性が反対になる。内層コイルと外層コイルが直流として駆動すると、発熱線の周りに電気波が発生しない。内層コイルと外層コイルの両端の駆動電流である直流の極性が反対であれば、内層コイルで発生する磁気場と外層コイルで発生する磁気場が互いに相殺して無磁界熱線として駆動する。【選択図】図２
2008235267.tif 000002
【特許請求の範囲】
【請求項１】
電気絶縁体である中心支持体、内層積層体、中間層積層体及び外層積層体を含む多重積層体を具備し、
前記中心支持体と前記内層積層体との間に設置され、駆動電流から分離されて外層コイルに電流が流れるときに磁化する磁気コア内層コイルと、
電気絶縁体である前記内層積層体と前記中間層積層体との間に設置されて発熱線が異常的に温度が高まるときに溶けて前記外層コイルに電気的に接続され、この動作により前記内層コイルや前記外層コイルに流れる電流が発熱線の駆動を中止させるための信号電流として印加される中間層コイルと、
電気絶縁体である前記中間層積層体と前記外層積層体との間に設置されて発熱体として動作する前記外層コイルと、を含むことを特徴とする電磁石発熱線。
【請求項２】
前記内層積層体は深層熱負荷に耐久性を有するように設置されるシリコン電気絶縁体層であり、
前記中間層積層体は９５〜２６７°Ｃで溶けて中間層コイルを外層コイルに接続させて温度制御部で過熱を検出可能にする熱溶融性の樹脂層であり、
前記外層積層体は電気絶縁体のＰＶＣ層であることを特徴とする請求項１に記載の電磁石発熱線。
【請求項３】
前記内層コイルは前記外層コイルに電流が流れるときに磁石として駆動される鉄線(iron wire)コイルであり、
前記中間層コイルは前記中間層積層体であるナイロンサーミスタに接触して温度過熱による過熱検出を温度制御部に提供する螺旋銅線コイルであり、
前記外層コイルは螺旋銅線コイルであることを特徴とする請求項１に記載の電磁石発熱線。
【請求項４】
前記発熱線の前記外層コイルと前記内層コイルとの間に切替スイッチを具備し、
前記内層コイルと前記外層コイルを分離させ、前記外層コイルに駆動電流を供給して前記内層コイルを磁化させ、外層コイルを発熱体として駆動するための前記切替スイッチの第１の状態接点と、
前記外層コイルに前記内層コイルを駆動電流の極性が逆になるように直列に接続し、駆動電流に接続して前記内層コイルと前記外層コイルを一つの無磁界発熱体として駆動するための前記切替スイッチの第２の状態接点と、を含むことを特徴とする請求項１に記載の電磁石発熱線。
【請求項５】
電気絶縁体である中心支持体、内層積層体、中間層積層体及び外層積層体を含む多重積層体を具備し、前記中心支持体と前記内層積層体との間に設置され駆動電流から分離されて外層コイルに電流が流れるときに磁化する磁気コア内層コイルと、電気絶縁体である前記内層積層体と前記中間層積層体との間に設置されて発熱線が異常的に温度が高まるときに溶けて前記外層コイルに電気的に接続され、この動作により前記内層コイルや前記外層コイルに流れる電流が発熱線の駆動を中止させるための信号電流として印加される中間層コイルと、電気絶縁体である前記中間層積層体と前記外層積層体との間に設置されて発熱体として動作する前記外層コイルとを含む電磁石発熱線と、
前記発熱線の前記外層コイルと前記内層コイルとの間に切替スイッチと、を含み、
前記発熱線の一側の外層コイルが駆動電源の一側に接続され、
前記発熱線の内層コイルの両端が切替スイッチの第１の状態接点を通じて前記発熱線の外層コイルから分離され、
前記発熱線の他側の外層コイルが前記切替スイッチの第１の状態接点を通じて電源の他側に接続され、
前記発熱線の他側の外層コイルと前記内層コイルが切替スイッチの第２の状態接点を通じて直列に接続されることを特徴とする電磁石発熱線を利用した温熱マット。
【請求項６】
前記発熱線の駆動電流は直流であり、前記直流は常用交流を減圧トランスで減圧し、減圧電流を整流器で直流に整流したもの及びスイッチングパワーのうちのいずれか一つであることを特徴とする請求項５に記載の電磁石発熱線を利用した温熱マット。
【請求項７】
温度設定機能を有する温度制御部のスイッチングにより前記発熱線に駆動電流が供給され、
前記温度制御部に温度検出センサーが接続され、
前記温度制御部は、前記温度検出センサーから検出した温度電圧が設定温度より低ければ、前記発熱線の駆動電流スイッチをオン状態に制御して入力電流を発熱線に供給し、前記温度検出センサーから検出した温度電圧が設定温度より高ければ、前記発熱線の駆動電流スイッチをオフ状態に制御して前記発熱線に供給される駆動電流を遮ることを特徴とする請求項５に記載の電磁石発熱線を利用した温熱マット。
【請求項８】
前記発熱線の駆動電流の導入ラインに電流ヒューズを含むことを特徴とする請求項７に記載の電磁石発熱線を利用した温熱マット。
【請求項９】
前記発熱線の駆動電流の導入ラインに温度ヒューズを含むことを特徴とする請求項７に記載の電磁石発熱線を利用した温熱マット。
【請求項１０】
前記内層コイル、前記中間層コイル及び前記外層コイルのうちの一つ以上が平たく圧延したコイルであることを特徴とする請求項３に記載の電磁石発熱線。
【発明の詳細な説明】
【技術分野】
【０００１】
本発明は電磁石発熱線とこの発熱線を利用した温熱マットに係り、より詳しくは、二本以上のコイルを含むヒーターで内層コイルの一つを磁石コイルとして設置する電磁石ヒーターとこれを利用した温熱マットに関する。
【背景技術】
【０００２】
多重コイルヒーターの一つとして温度感応型のヒーターが使用されている。温度感応型のヒーターは電気マット、電気敷布団、電気座布団、電気寝台及び電気靴下などの人体を温めるために寝具や衣服に用いられるヒーターである。多重コイルヒーターは、外管が３〜５mm直径のコードタイプのヒーターである。三重コイルを有する３層ヒーターの構造を調べると、中心支持体の表に内層積層体、中間層積層体及び外層積層体を順次に被覆させ、各層の積層体の内側に導体として内層コイル、中間層コイル及び外層コイルを設置している。
【０００３】
前記３層ヒーターにおいて、内層コイルと外層コイルは発熱コイルである。発熱コイルは駆動電流に直列に接続されて電気抵抗熱を放出する。内層コイルと外層コイルのピッチは理論的には一対一であり、コイルの螺旋方向は反対に設定されて発熱コイルから放出される電磁気波の強さを減衰するようになっている。
【０００４】
中間層コイルは温度検出コイルとして内層積層体であるナイロンサーミスタに接触して温度制御部で温度電圧を検出するとともに、交流の中性(NEUTRAL)端子に接続して電界ノイズを中性電流に放出する。
【０００５】
このような３層ヒーターを駆動する温度制御部は温度を設定することができ、前記温度検出コイルから温度電圧を検出し、検出温度が設定温度以下になると、駆動電流開閉スイッチをオン状態に制御し、検出温度が設定温度以上になると、駆動電流スイッチをオフ状態に制御する。駆動電流は電流ヒューズと、発熱抵抗とともに縫合した温度ヒューズとを通じて発熱コイルに供給するため、電気使用時の危険発生を防止することができた。
【０００６】
従来の３層ヒーターの層の構成を表１に示した。
＜表１＞  従来の発熱体の層構成
2008235267.tif 000003
【発明の開示】
【発明が解決しようとする課題】
【０００７】
本発明は電気絶縁体である中心支持体、内層積層体、中間層積層体及び外層積層体を具備し、内層コイル、中間層コイル及び外層コイルを含む発熱線を提供しようとする。本発明は多重コイル発熱線で内層コイルを電磁石として駆動できる発熱線を提供しようとする。本発明は直流を駆動電流として用いて電気波が発生しない発熱線を提供しようとする。本発明は外層コイルのみに駆動電流を供給するとき、外層コイルが発熱体として駆動するとともに、外層コイルから分離された内層コイルは電磁石として駆動する発熱線を提供しようとする。本発明は内層コイルと外層コイルを直列に接続して内層コイルと外層コイルをともに発熱体として駆動できる発熱線を提供しようとする。本発明は内層コイルと外層コイルを直列に接続して発熱体として駆動するとき、内層コイルと外層コイルの両端に印加される駆動電流の直流の極性を逆にして内層コイルと外層コイルで発生する磁気波を相殺して無磁界特性を示す発熱線を提供しようとする。本発明は発熱線の温度が異常的に高まると、中間層積層体が溶けて中間層コイルを外層コイルに接触させるので、温度制御部で過熱駆動を防止可能にする発熱線を提供しようとする。本発明は直流を駆動電流として用いる発熱線を提供しようとする。本発明は内層コイルを直流磁石のコアとして駆動するか、内層コイルと外層コイルを反対極性の電流により駆動する切替スイッチを含む温熱マットを提供しようとする。
【課題を解決するための手段】
【０００８】
本発明による発熱線は、電気絶縁体である中心支持体、内層積層体、中間層積層体及び外層積層体を含む多重積層体を具備し、前記中心支持体と前記内層積層体との間に設置され、駆動電流から分離されて外層コイルに電流が流れるときに磁化する磁気コア内層コイルと、電気絶縁体である前記内層積層体と前記中間層積層体との間に設置されて発熱線が異常的に温度が高まるときに溶けて前記外層コイルに電気的に接続され、この動作により前記内層コイルや前記外層コイルに流れる電流が発熱線の駆動を中止させるための信号電流として印加される中間層コイルと、電気絶縁体である前記中間層積層体と前記外層積層体との間に設置されて発熱体として動作する前記外層コイルと、を含むことを特徴とする。
【０００９】
前記内層積層体は深層熱負荷に耐久性を有するように設置されるシリコン電気絶縁体層であり、前記中間層積層体は９５〜２６７°Ｃで溶けて中間層コイルを外層コイルに接続させて温度制御部で過熱を検出可能にする熱溶融性の樹脂層であり、前記外層積層体は電気絶縁体のＰＶＣ層であることが好ましい。
【００１０】
前記内層コイルは前記外層コイルに電流が流れるときに磁石として駆動される鉄線コイルであり、前記中間層コイルは前記中間層積層体であるナイロンサーミスタに接触して温度過熱による過熱検出を温度制御部に提供する螺旋銅線コイルであり、前記外層コイルは螺旋銅線コイルであることが好ましい。
【００１１】
本発明による発熱線は、前記発熱線の前記外層コイルと前記内層コイルとの間に切替スイッチを具備し、前記内層コイルと前記外層コイルを分離させ、前記外層コイルに駆動電流を供給して前記内層コイルを磁化させ、外層コイルを発熱体として駆動するための前記切替スイッチの第１の状態接点と、前記外層コイルに前記内層コイルを駆動電流の極性が逆になるように直列に接続し、駆動電流に接続して前記内層コイルと前記外層コイルを一つの無磁界発熱体として駆動するための前記切替スイッチの第２の状態接点と、をさらに含むことを特徴とする。
【００１２】
本発明による発熱線を利用した温熱マットは、電気絶縁体である中心支持体、内層積層体、中間層積層体及び外層積層体を含む多重積層体を具備し、前記中心支持体と前記内層積層体との間に設置され駆動電流から分離されて外層コイルに電流が流れるときに磁化する磁気コア内層コイルと、電気絶縁体である前記内層積層体と前記中間層積層体との間に設置されて発熱線が異常的に温度が高まるときに溶けて前記外層コイルに電気的に接続され、この動作により前記内層コイルや前記外層コイルに流れる電流が発熱線の駆動を中止させるための信号電流として印加される中間層コイルと、電気絶縁体である前記中間層積層体と前記外層積層体との間に設置されて発熱体として動作する前記外層コイルとを含む電磁石発熱線と、前記発熱線の前記外層コイルと前記内層コイルとの間に切替スイッチと、を含み、前記発熱線の一側の外層コイルが駆動電源の一側に接続され、前記発熱線の内層コイルの両端が切替スイッチの第１の状態接点を通じて前記発熱線の外層コイルから分離され、前記発熱線の他側の外層コイルが前記切替スイッチの第１の状態接点を通じて電源の他側に接続され、前記発熱線の他側の外層コイルと前記内層コイルが切替スイッチの第２の状態接点を通じて直列に接続されることを特徴とする。
【００１３】
前記発熱線の駆動電流は直流であり、前記直流は常用交流を減圧トランスで減圧し、減圧電流を整流器で直流に整流したもの及びスイッチングパワーのうちのいずれか一つであることが好ましい。
【００１４】
温度設定機能を有する温度制御部のスイッチングにより前記発熱線に駆動電流が供給され、前記温度制御部に温度検出センサーが接続され、前記温度制御部は、前記温度検出センサーから検出した温度電圧が設定温度より低ければ、前記発熱線の駆動電流スイッチをオン状態に制御して入力電流を発熱線に供給し、前記温度検出センサーから検出した温度電圧が設定温度より高ければ、前記発熱線の駆動電流スイッチをオフ状態に制御して前記発熱線に供給される駆動電流を遮ることを特徴とする。
【００１５】
前記発熱線の駆動電流の導入ラインには電流ヒューズを含むことが好ましい。
【００１６】
前記発熱線の駆動電流の導入ラインには温度ヒューズを含むことが好ましい。
【００１７】
前記内層コイル、前記中間層コイル及び前記外層コイルのうちの一つ以上が平たく圧延されたコイルであることが好ましい。
【発明の効果】
【００１８】
上述したように、本発明は電気絶縁体である中心支持体、内層積層体、中間層積層体及び外層積層体を具備し、内層コイル、中間層コイル及び外層コイルを含む発熱線を提供し、多重コイル発熱線で内層コイルを電磁石として駆動できる発熱線を提供し、直流を駆動電流として用いて電気波が発生しない発熱線を提供し、外層コイルのみに駆動電流を供給するとき、外層コイルが発熱体として駆動するとともに、外層コイルから分離された内層コイルは電磁石として駆動する発熱線を提供し、内層コイルと外層コイルを直列に接続して内層コイルと外層コイルがともに発熱体として駆動可能な発熱線を提供し、内層コイルと外層コイルを直列に接続して発熱体として駆動するとき、内層コイルと外層コイルの両端に印加される駆動電流直流の極性を逆にして内層コイルと外層コイルで発生する磁気波を相殺して無磁界特性を示す発熱線を提供し、発熱線の温度が異常的に高まると、中間層積層体が溶けて中間層コイルを外層コイルに接触させるので、過熱駆動を防止可能にする発熱線を提供し、内層コイルを直流磁石のコアとして駆動するか、内層コイルと外層コイルを反対極性の電流により駆動する切替スイッチを含む温熱マットを提供する。
【発明を実施するための最良の形態】
【００１９】
以下、添付図面を参照して本発明の好ましい実施形態について詳しく説明する。
【００２０】
本発明は、外層コイルＬ３に電流が流れると、内層コイルＬｍｃが磁化する発熱線である。人体の磁気浴のために寝具や座布団などに永久磁石を配列する。磁気浴をしようとすると、永久磁石の永久磁石の周面に誘起される磁気場に人体を露出させる。磁気浴は血行を改善し、痛みを減少させると知られている。
【００２１】
図５は、内層コイルＬｍｃが外層コイルＬ３により磁化する動作を説明するための図である。内層コイルＬｍｃが磁化する金属である鉄Ｆｅのとき、外層コイルＬ３に直流電流が流れると、内層コイルＬｍｃの両端が直流の負極と正極に対応するＮ極とＳ極になり、磁石の両極(Ｎ-Ｓ)の間に永久磁石のような安定した磁気場が形成される。
【００２２】
本発明において、前記内層コイルＬｍｃと外層コイルＬ３は切替スイッチ６の操作選択により直列に直流電流に接続されて発熱体として駆動することがある。
【００２３】
本発明においては、発熱線の内層コイルを電磁石として駆動するため、この発熱線を採用した電気敷布団、電気座布団及び電気靴下などの温熱製品で磁気場が誘導される。
【００２４】
このために本発明による発熱線Ｈは、電気絶縁体である中心支持体１、内層積層体２、中間層積層体３及び外層積層剤４からなる多重積層体を具備し、中心支持体１と内層積層体２との間に設置され、駆動電流から分離されて外層コイルＬ３に電流が流れるときに磁化する磁気コア内層コイルＬｍｃと、電気絶縁体である内層積層体２と中間層積層体３との間に設置されて発熱線が異常的に温度が高まるときに溶けて外層コイルＬ３に電気的に接続され、この動作により内層コイルＬｍｃや外層コイルＬ３に流れる電流が発熱線駆動を中止させるための信号電流として温度制御部１３に印加する中間層コイルＬ２と、電気絶縁体である中間層積層体３と外層積層体４との間に設置されて発熱体として動作する外層コイルＬ３とを含んで構成される。
【００２５】
図１は、前記発熱線の実施形態を示した図である。前記内層積層体２は、深層熱負荷に耐久性を有するように設置されるシリコン電気絶縁体層である。前記中間層積層体３は９５〜２６７°Ｃの温度で溶けて中間層コイルＬ２を外層コイルＬ３に電気的に接続させる熱溶融性樹脂である。
【００２６】
表２に中間層積層体として使用可能な熱溶融性樹脂の例を示した。
＜表２＞  中間層積層体として使用可能な熱溶融性ポリマー
2008235267.tif 000004
【００２７】
本実施形態において、前記中間層積層体３は２６７°Ｃで溶けるナイロンである。前記外層積層体４は電気絶縁体のＰＶＣである。前記内層積層体２のシリコンは、発熱線Ｈが異常的に加熱されて中間層積層体３が溶けても発熱線の内部形態を保持させるため、温度制御部１３の安全制御動作を保護する。前記外層積層体４は中間層積層体３と外層コイルＬ３を被覆するので、発熱線Ｈが正常に動作するときや、温度制御部１３が安全制御動作をするときにも、発熱線Ｈの外部形態を保持させて安全にする。
【００２８】
前記内層コイルＬｍｃは、外層コイルＬ３に電流が流れるとき、磁石として駆動する針金(iron wire)コイルである。前記中間層コイルＬ２は中間層積層体３である熱溶融性樹脂に接触して巻かれており、発熱線が異常的に１２０〜１６０°Ｃで溶けて外層コイルＬ３の駆動電流を温度制御部１３に提供するか、または発熱線Ｈが外部の強い衝撃や過度な引張疲労、屈折疲労などにより中間層電気絶縁体積層体２，３，４が機械的に破損したとき、外層コイルＬ３に流れる電流を温度制御部１３に印加する。好ましい前記外層コイルＬ３は外層コイルＬ３の駆動電流を温度制御部１３に伝達するための銅線であり、発熱線Ｈの線径を最小化するように圧延し、内層積層体２の上に巻いた銅線である。
【００２９】
図２に示したように、前記発熱線Ｈの外層コイルＬ３と内層コイルＬｍｃとの間に切替スイッチ６をさらに具備する。切替スイッチ６は、電磁石のコアである内層コイルＬｍｃを発熱コイルとして駆動するように状態を変えることができる。前記切替スイッチ６の第１の接点状態は、内層コイルＬｍｃと外層コイル３を分離させ、外層コイルＬ３に駆動電流を供給して内層コイルＬｍｃを電磁石として駆動するとともに、外層コイルＬ３を発熱体として駆動する。前記切替スイッチ６の第２の接点状態は、外層コイルＬ３に内層コイルＬｍｃを直列に接続し、駆動電流に接続して内層コイルＬｍｃと外層コイルＬ３をともに発熱体として駆動する。
【００３０】
図２において、前記切替スイッチ６の接点(ａ〜ｆ)は、内層コイルＬｍｃと外層コイルＬ３をともに発熱体熱線として駆動するとき、内層コイルＬｍｃと外層コイルＬ３を無磁界発熱線Ｈとして駆動するために、内層コイルＬｍｃの両端の直流極性と外層コイルＬ３の両端の直流極性を反対の極性に対応させる。詳しくは、前記切替スイッチ６の接点により内層コイルＬｍｃが磁石として駆動するときは、発熱線の一側の外層コイルＬ３が直流電源の一側(＋)に接続され、発熱線の内層コイルＬｍｃの両端が切替スイッチ６の第１の状態接点(ｃ及びｅ)を通じて発熱線の外層コイルＬ３及び電源から分離され、発熱線の外層コイルＬ３の他側が切替スイッチ６の第１の状態接点(ｂ-ｄ-ａ)を通じて電源の他側(−)に接続される。これに対して、内層コイルＬｍｃが発熱体として駆動するときは、発熱線Ｈの一側の外層コイルＬ３が電源の一側(＋)に接続され、発熱線Ｈの一側の内層コイルＬｍｃが切替スイッチ６の第２の状態接点(ｃ-ａ)を通じて電源の他側(−)に接続され、発熱線Ｈの他側の外層コイルＬ３と内層コイルＬｍｃが切替スイッチ６の第２の状態接点(ｂ-ｅ)を通じて直列に接続されるとともに、発熱線Ｈの両端で内層コイルＬｍｃと外層コイルＬ３の駆動電流の極性が逆に設定される。
【００３１】
本発明による電磁石発熱線Ｈを利用した温熱マット１５の前記発熱線の駆動電流は、上述したように直流であり、前記直流は交流を直流に変換するＡ/Ｄ変換機１０により常用交流(ＡＣ)を直流として供給する。図４に示したように、Ａ/Ｄ変換機１０は減圧トランス１１とダイオード整流器１２で構成することもできる。図２において、前記Ａ/Ｄ変換機１０から提供する直流駆動電流はケーブル９とコネクタ８を通じて温熱マット１５のコネクタ７に提供している。前記Ａ/Ｄ変換機１０の出力直流を用いて前記内層コイルＬｍｃを磁化させると、磁石の極性(Ｎ，Ｓ)が変化しなくて温熱マット１５に誘起される磁束と磁気場が永久磁石による磁気場のように安定した状態となる。また、本発明による発熱線Ｈの駆動電流は直流なので、交流を使用するときのような電気波が発生しない。
【００３２】
前記温熱マット１５に温度検出のために温度検出センサー１４を設置する。温度検出センサー１４はコネクタ７，８とケーブル９を介して温度設定機能を具備した温度制御部１３に接続される。温度制御部１３は、温度センサー１４で検出した温度が設定温度より低ければ、発熱線の駆動電流スイッチｓｗをオン状態に制御して入力電流を発熱線Ｈに供給し、温度センサー１４で検出した温度が設定温度より高ければ、発熱線Ｈの駆動電流スイッチｓｗをオフ状態に制御して発熱線Ｈに供給される駆動電流を遮る。また、温度制御部１３は中間層コイルＬ２で外層コイルＬ３の駆動電流を検出すると、スイッチｓｗをオフとして駆動して発熱線Ｈを駆動電流から分離させる。温度制御部１３が中間層コイルＬ２で外層コイルＬ３の駆動電流を検出するときは、上述したように中間層積層体３が溶けるか、発熱線Ｈの積層体２，３，４が外部の力により破損して、これにより中間層コイルＬ２が外層コイルＬ３に電気的に接続されたときである。
【００３３】
本発明による温熱マット１５に具備させたもう一つの安定装置は温度ヒューズｔｆである。温度ヒューズｔｆは、上述したように中間層コイルＬ２が外層コイルＬ３の駆動電流が流れるとき、ヒューズｔｆを溶断するまで発熱する抵抗Ｒを設置し、この抵抗Ｒを前記温度ヒューズｔｆとともに密封させた。このような二重安全装置は温熱マットが人体に電流を近接させる装置として、温度制御部１３に何かの原因で機能が中止した場合に動作して電流による人体損傷を防止するためのものである。
【００３４】
前記内層コイルＬｍｃ、中間層コイルＬ２及び外層コイルＬ３としては平たく圧延されたコイルを用いることが好ましい。圧延ワイヤーは、圧延ワイヤーの平面が中心支持体１及び積層体２，３に接触して巻かれるため、これら支持体を入りこむことなく保護し、圧延されないワイヤーより厚さが薄くて発熱線Ｈの直径を細くすることができる。
【００３５】
＜実施例１＞
本発明による電磁石発熱線の製造
直径０.２〜１.０mmのポリエスターフィラメント糸(７００デニール)を中心支持体とし、中心支持体の周りに線径０.２〜１.０mmの鉄線を厚さ０.２〜１.０mm に圧着した圧延鉄線として内層コイル(磁気コアワイヤー)を設置し、その上に内層積層体としてシリコンゴムを厚さ０.２〜１.０mmに圧出成型し、その上に線径０.２〜１.０mmの銅線を厚さ０.２〜１.０mm に圧着した圧延銅線を中間層コイル(過熱検出コイル)として設置し、その上に中間層積層体としてナイロン樹脂であるナイロンサーミスタを厚さ０.２〜１.０mm に圧出成型し、その上に線径０.２〜１.０mmの銅線を厚さ０.２〜１.０mmに圧着した螺旋銅線を外層コイル(発熱コイル)として設置し、その上に外層積層体である厚さ０.２〜１.０mm のＰＶＣを圧出成型して電磁石発熱線を製造した。
【００３６】
＜実施例２＞
ナイロン中間層積層体の溶融試験
実施例１で製造した発熱線を駆動しながら、駆動電源の遮断動作を試験した。
２２０°ＣのＡＣ電流をＡ/Ｄ変換機で２４ｖ直流に変換して発熱体である外層コイルに供給した。外層コイルに温度記録系(ヨコガワ製品)のセンサーの端を接続し、上昇温度を測定しながら、中間層コイルの電圧を測定した。温度記録系で１５６°Ｃが記録されたとき、中間層コイルで外層コイルの駆動電流の電圧である直流２４ｖ電圧が検出された。
【図面の簡単な説明】
【００３７】
【図１】一部を切開した本発明による発熱線の斜視図である。
【図２】本発明による発熱線の駆動回路図である。
【図３】本発明による発熱線の平面使用状態例示図である。
【図４】本発明による発熱線の電子波フィールドの使用状態例示図である。
【図５】本発明による発熱線の磁石駆動状態を説明するための図である。
【図６】本発明による発熱線の電気場の減衰構造を説明するための図である。
【図１】
2008235267.tif 000005
【図２】
2008235267.tif 000006
【図３】
2008235267.tif 000007
【図４】
2008235267.tif 000008
【図５】
2008235267.tif 000009
【図６】
2008235267.tif 000010